(57)【要約】【課題】本発明は、水を濾過すると共にマイナスイオンを含むイオン水を生成するイオン水生成装置に関し、特に貴陽石を使用したイオン水生成装置を提供するものである。【解決手段】イオン水生成装置１は筐体５、貴陽石カートリッジ６、中空糸膜カートリッジ７、基台８で構成され、ホース４を通して供給される水道水は、先ず貴陽石１８が充填されたＩ室に流入し、水道水をイオン化する。その後、ＩＩ室のサンゴ石１９によってミネラル成分が注入され、ＩＩＩ室の硫酸カルシウムによってカルシウムが溶出し、健康によく、飲みやすい水を生成する構成である。【選択図】      図１
2004344691.tif 000002
【特許請求の範囲】
【請求項１】
水道水が流入し、貴陽石が充填された第１室と、
該第１室を通過した水が流入し、サンゴ石が充填された第２室と、
該第２室を通過した水が流入し、活性炭が充填された第３室と、
を備えることを特徴とする貴陽石カートリッジ。
【請求項２】
前記第１室には、前記貴陽石の他に活性炭が充填されていることを特徴とする請求項１記載の貴陽石カートリッジ。
【請求項３】
水道水が流入し、貴陽石が充填された第１室と、該第１室を通過した水が流入し、サンゴ石が充填された第２室と、該第２室を通過した水が流入し、活性炭が充填された第３室とを備える貴陽石カートリッジと、
該貴陽石カートリッジを通過した水が流入し、中空糸膜を備える中空糸膜カートリッジと、
を有することを特徴とするイオン水生成装置。
【請求項４】
前記第１室には、前記貴陽石の他に活性炭が充填されていることを特徴とする請求項３記載のイオン水生成装置。
【請求項５】
前記第３室には、固形の硫酸カルシウムが充填されていることを特徴とする請求項３、又は４記載のイオン水生成装置。
【発明の詳細な説明】
【０００１】
【発明の属する技術分野】
本発明は、水を濾過すると共に、有機物や雑菌類を除去した後、さんご石と硫酸カルシウムで、ミネラル分を付与し、貴陽石を使用してマイナスイオンを含むイオン水を生成するイオン水生成装置に関するものである。
【０００２】
【従来の技術】
今日、各地の天然水が話題になり、特に鉱物成分を含むミネラル水は健康にもよく、飲みやすい水として需要が高い。特許文献１はこのようなミネラル水を生成する装置を開示する。この発明は、活性炭が封入された活性炭ケースと、中空糸膜を保持する中空糸膜ケースとを一体構成し、活性炭ケースに設けた給水口から水を流入し、活性炭により残留塩素等を除去し、ミネラル水を生成する装置である。
【０００３】
【特許文献１】
特開平１−１３５５８３号公報
【０００４】
【発明が解決しようとする課題】
上記従来例の発明では活性炭が使用され、ミネラル水としての意味はある。しかし、より健康によい水である点については充分ではない。例えば、近年貴陽石が注目され、大きな効能が期待されている。貴陽石は天然イオン石であり、約６５００万年前の地殻変動に伴う高温熱水作用によって形成された特殊鉱物であり、マイナスイオンの発生量が他の鉱物より圧倒的に多く、また遠赤外線は常温（２５℃）で高い放射率を示し、更に水に接することにより水の界面活性力と酵素活性力を大幅に向上させ、水の分子集団もまた小さくなる。
【０００５】
そこで、本発明は上記課題を解決すべくなされたものであり、貴陽石を水生成装置に使用し、マイナスイオンを含み健康によく、飲みやすい水を生成するイオン水生成装置を提供するものである。
【０００６】
【課題を解決するための手段】
上記課題は、請求項１記載の発明によれば、水道水が流入し、貴陽石が充填された第１室と、該第１室を通過した水が流入し、サンゴ石が充填された第２室と、該第２室を通過した水が流入し、活性炭が充填された第３室とを備える貴陽石カートリッジを提供することによって達成できる。
【０００７】
このように構成することにより、カートリッジの第１室に流入した水道水は、貴陽石によってマイナスイオン化され、水の分子集団すなわち、クラスターが極小化し、界面活性力等の浄解力が増大し、第２室のサンゴ石のミネラル成分が溶質され、飲みやすく健康によい水にすることができる。
【０００８】
請求項２の記載は、前記請求項１記載の発明において、前記第１室には、前記貴陽石の他に活性炭が充填されている構成である。
このように構成することにより、水道水に含まれる残留塩素と雑菌が先ず除去さ、その後当該水道水（水）に対して上記イオン化処理を行うことができ、更に飲みやすく健康によい水を生成することができる。
【０００９】
上記課題は、請求項３記載の発明によれば、水道水が流入し、貴陽石が充填された第１室と、該第１室を通過した水が流入し、サンゴ石が充填された第２室と、該第２室を通過した水が流入し、活性炭が充填された第３室とを備える貴陽石カートリッジと、該貴陽石カートリッジを流れた水が流入し、中空糸膜を備える中空糸膜カートリッジとを有するイオン水生成装置を提供することによって達成できる。
【００１０】
本発明は上記貴陽石カートリッジに中空糸膜を内蔵する中空糸膜カートリッジを設けたイオン水生成装置の発明であり、このように構成することにより、中空糸膜で鉄錆等のにごり成分及び残留雑菌類が除去され、より健康によい水を生成することができる。
【００１１】
請求項４の記載は、前記請求項３記載の発明において、前記第１室には、前記貴陽石の他に活性炭が充填されている構成である。
このように構成することによっても、水道水に含まれる残留塩素と雑菌が除去された水に対して上記イオン化処理を行うことができ、更に飲みやすく健康によい水を提供することができる。
【００１２】
請求項５の記載は、前記請求項３、又は４の記載において、前記第３室には、更に固形の硫酸カルシウムが充填されている構成である。
このように構成することにより、水道水に硫酸カルシウムに含まれるカルシウム成分を溶出することができる。
【００１３】
【発明の実施の形態】
以下、本発明のイオン水生成装置について、図面を参照しながら実施形態を詳述する。
【００１４】
図１は本発明のイオン水生成装置の断面図であり、イオン水生成装置１の下方には給水部２が設けられ、上方にはイオン水の出力部３が設けられている。イオン水生成装置１の給水部２にはホース４が取り付けられ、ホース４の他端は不図示の蛇口に取り付けられている。一方、出力部３からはイオン水生成装置１内の貴陽石によってイオン化されたイオン水が得られる。
【００１５】
上記イオン水生成装置１の筐体５内部には、貴陽石カートリッジ６、中空糸膜カートリッジ７、及び基台８が配設されている。この配設構成は、基台８上に貴陽石カートリッジ６が配設され、更に貴陽石カートリッジ６の凹部に中空糸膜カートリッジ７が取り付けられている。
【００１６】
基台８の上面には、大径部、中継部、小径部と順次縮径された凹部が形成されており、中心部に設けた円筒状の給水口８ａには逆止弁８ｂが設けられている。蛇口に接続された前述のホース４から供給される水は、この給水口８ａを通して基台８内を矢印方向に流れる。
【００１７】
貴陽石カートリッジ６は同図に示すように円筒状に形成され、外周側からＩ、ＩＩ、ＩＩＩの３室で構成されている。図２はこの貴陽石カートリッジ６の断面構成を説明する図である。
【００１８】
先ず、筐体５と隔壁１１との間に第１室（以下Ｉ室という）が形成され、隔壁１１と隔壁１２との間に第２室（以下ＩＩ室という）が形成され、更に隔壁１２内に第３室（以下ＩＩＩ室という）が形成されている。尚、ＩＩＩ室の上部には、不織布からなるフィルタ１３が配設されている。
【００１９】
また、隔壁１１の上部は、筐体５の内周面の上部との間に形成されたスリット１４が形成され、Ｉ室とＩＩ室を連通している。また、隔壁１１及び１２の下端部は仕切蓋１５に当接し、下端部に設けた複数の開口１６によりＩＩ室とＩＩＩ室が連通している。
【００２０】
上記のように構成された貴陽石カートリッジ６において、Ｉ室は下部が給水口、上部が排出口、ＩＩ室は上部が給水口、下部が排出口、ＩＩＩ室は下部が給水口、上部が排出口となり、Ｉ室には下部に水道水中の残留塩素を吸着して除去すると共に、雑菌の侵入を阻止する濾過材である活性炭１７が充填され、上部にはマイナスイオンを発生し、遠赤外線を放射する貴陽石１８が充填されている。尚、貴陽石１８は水の通過を考慮して所定の粒径に加工されている。
【００２１】
また、ＩＩ室にはミネラル溶出材である、例えばサンゴ石１９が充填され、ＩＩＩ室には固形の硫酸カルシウム２０と、この硫酸カルシウム２０を包むように活性炭層２１が形成されている。尚、この硫酸カルシウムは必ずしも必要ではない。
【００２２】
一方、中空糸膜カートリッジ７は円筒状の中空糸膜カートリッジであり、下部を閉塞する底板７ａの中心部には、給水口７ｂが突設されている。この給水口７ｂは、前述の貴陽石カートリッジ６の凹部６ｃに設けられた排出口６ｄに嵌入され、貴陽石カートリッジ６から排出される水を中空糸膜カートリッジ７に供給する。また、中空糸膜カートリッジ７内の中空糸膜７ｃは不織布であり、フィルタとして機能する。
【００２３】
以上の構成において、以下に本例による水道水のイオン化処理を説明する。
先ず、ホース４の一端を水道の蛇口に接続し、蛇口を開くと、水道水はホース４を通して基台８の給水口８ａに流入し、同図に示すように仕切壁１５の下面を通り、Ｉ室に流入する。そして、Ｉ室内を上昇し、この間活性炭１７を通過することによって、水道水中の残留塩素と雑菌が除去され、更に貴陽石１８を通過することによって、水道水はマイナスイオンを多量に付与され、クラスター、界面活性力、酵素活性力が改善される。
【００２４】
その後、同図に矢印で示すように、Ｉ室の上端部からＩＩ室に流入し、ＩＩ室に充填されたサンゴ石１９によって、例えばミネラル成分が注入される。さらに、ＩＩ室の隔壁の下部からＩＩＩ室に流入し、ＩＩＩ室内を上昇する。この間、固形の硫酸カルシウム２０によりカルシウムが溶出し、中空糸膜カートリッジ７を通過することによって、中空糸膜７ｃで鉄錆等のにごり成分や残留雑菌類が除去される。
【００２５】
以上のように、本例のイオン水生成装置は、水道水に含まれる残留塩素を除去するだけでなく、貴陽石１８を通過させることによって、水道水にマイナスイオンを多量に付与し、飲みやすく健康によい水を生成するものである。
【００２６】
【発明の効果】
以上説明したように、本発明によれば水道水にマイナスイオンを付与し、ミネラル水をバランスよく含み水の力のバロメータである分子集団の極小化、界面活性力、酵素活性力を一般水道に比べ６０〜８０％も向上させ、飲みやすく健康によい水を提供することができる。
【図面の簡単な説明】
【図１】本発明のイオン水生成装置の断面図である。
【図２】貴陽石カートリッジの断面構成を説明する図である。
【符号の説明】
１  イオン水生成装置
２  給水部
３  出力部
４  ホース
５  筐体
６  貴陽石カートリッジ
７  中空糸膜カートリッジ
８  基台
８ａ  給水口
８ｂ  逆止弁
１１、１２  隔壁
１３  フィルタ
１４  スリット
１５  仕切蓋
１６  開口
１７  活性炭
１８  貴陽石
１９  サンゴ石
２０  硫酸カルシウム
２１  活性炭層
【図１】
2004344691.tif 000003
【図２】
2004344691.tif 000004